(57)【要約】【課題】体の大部分を覆う衣装を身に着けている利用者に対しても、快適な環境を提供する空調制御システム及び空調制御方法を提供することである。【解決手段】実施形態の空調制御システムは、空調機と可変風量部と空調制御装置とを有する空調制御システムにおいて、給気温度制御部と風量制御部とを具備する。給気温度制御部は、制御対象エリアの温度計測値と温度設定値との偏差に基づき可変風量部の開度を演算し、該開度が所定の開度閾値以下となるとき、空調機の給気温度設定値を上昇させる。風量制御部は、給気温度設定値が上昇したとき、制御対象エリアの温度計測値と温度設定値との偏差に基づき、可変風量部の開度設定値を増加させる。【選択図】図２
2015014391.tif 000002
【特許請求の範囲】
【請求項１】
給気温度設定値に基づき制御対象エリアに供給される空気の温度を調整する空調機と、
開度設定値に基づき制御対象エリアに供給される空気の風量を調整する可変風量部と、
制御対象エリアの温度計測値と温度設定値との偏差に基づき空調制御を行う空調制御装置とを有する空調制御システムにおいて、
制御対象エリアの温度計測値と温度設定値との偏差に基づき前記可変風量部の開度を演算し、該開度が所定の開度閾値以下となるとき、前記空調機の給気温度設定値を上昇させる給気温度制御部と、
前記給気温度設定値が上昇したとき、制御対象エリアの温度計測値と温度設定値との偏差に基づき、前記可変風量部の開度設定値を増加させる風量制御部と、
を具備する空調制御システム。
【請求項２】
前記風量制御部は、
室内へ供給する熱量が一定となるような目標開度を演算するとともに、前記可変風量部の開度設定値を算出された前記目標開度に変更する請求項１に記載の空調制御システム。
【請求項３】
前記風量制御部は、
給気温度設定値の変更後における前記給気温度設定値と室内温度計測値との偏差に対する、当該給気温度設定値の変更前における前記給気温度設定値と前記室内温度計測値との偏差の割合に、当該給気温度設定値の変更前における前記開度設定値を乗じて前記目標開度を算出するとともに、前記可変風量部の開度設定値を算出された前記目標開度に変更する請求項２に記載の空調制御システム。
【請求項４】
前記風量制御部は、
少なくとも室内温度と、風量と、をパラメータとして含む快適指数を算出する演算式に基づいて、快適指数が所定の範囲内に収まるように前記開度設定値を変更する請求項１に記載の空調制御システム。
【請求項５】
前記給気温度制御部は、
制御対象エリアの温度計測値と温度設定値との偏差に基づき前記可変風量部の開度を演算し、該開度が所定の開度閾値以上となるとき、前記空調機の給気温度設定値を低下させる請求項１から請求項４のいずれか一項に記載の空調制御システム。
【請求項６】
給気温度設定値に基づき制御対象エリアに供給される空気の温度を調整する空調機と、
開度設定値に基づき制御対象エリアに供給される空気の風量を調整する可変風量部と、
制御対象エリアの温度計測値と温度設定値との偏差に基づき空調制御を行う空調制御装置とを有する空調制御システムの空調制御方法において、
制御対象エリアの温度計測値と温度設定値との偏差に基づき前記可変風量部の開度を演算し、該開度が所定の開度閾値以下となるとき、前記空調機の給気温度設定値を上昇させるステップと、
前記給気温度設定値が上昇したとき、制御対象エリアの温度計測値と温度設定値との偏差に基づき、前記可変風量部の開度設定値を増加させるステップと、
を具備する空調制御方法。
【発明の詳細な説明】
【技術分野】
【０００１】
本発明の実施形態は、空調制御システム及び空調制御方法に関する。
【背景技術】
【０００２】
従来、空調機には、室内温度を検知する温度センサが備えられ、この温度センサを介して検知される室内温度計測値と、室内温度設定値と、の偏差に基づいて、室内へ給気する冷却空気の温度（ダクト給気温度）及びその風量を調整する手法が用いられている。風量を調整する可変風量部の機構は、ＶＡＶ（Variable Air Volume）ユニット（以下、単に「ＶＡＶ」とも記載する）と呼ばれ、所定の制御装置（空調制御装置）からの信号に応じて空孔の開閉の度合を示す「開度」を変更可能とする。この開度が変更されることで、その空孔を流通する風量が調整される仕組みである。
【０００３】
従来の空調機の一般的な制御アルゴリズムによれば、空調制御装置は、利用者の室内温度設定値ＴＳに応じた一意のダクト給気温度を設定する。なおダクト給気温度の調整は、空調機本体における冷媒（冷水）の流量を所定の冷媒弁（冷水弁）で制御することで成される。そして空調制御装置は、室内温度計測値ＴＲと室内温度設定値ＴＳとの偏差が大きい場合には、ＶＡＶの開度を大きく設定して風量を増加させるように制御し、偏差が小さくなるにつれ、開度を徐々に小さくする制御を行う。
このようにすることで、最終的に室内温度計測値ＴＲがほぼ室内温度設定値ＴＳに一致して安定するような空調制御が行われる（例えば特許文献１参照）。
【先行技術文献】
【特許文献】
【０００４】
【特許文献１】特開２００１−２４８８７５号公報
【発明の概要】
【発明が解決しようとする課題】
【０００５】
ところで、近年、空調機は世界中の様々な国や地域で使用されている。ここで、空調機が使用される地域によっては、上述したような空調制御では利用者に快適な環境を提供できない場合がある。例えば、利用者が体全体を覆う衣服を身に着けている場合、身体付近における空気の対流が起きにくいため熱（体温）がこもり、単に室内温度計測値ＴＲを室内温度設定値ＴＳまで低下させただけでは利用者に“涼しさ”を体感させることができず、快適な環境を提供できないという問題があった。
【０００６】
本発明が解決しようとする課題は、快適な環境を提供する空調制御システム及び空調制御方法を提供することである。
【課題を解決するための手段】
【０００７】
実施形態の空調制御システムは、空調機と可変風量部と空調制御装置とを有する空調制御システムにおいて、給気温度制御部と風量制御部とを具備する。給気温度制御部は、制御対象エリアの温度計測値と温度設定値との偏差に基づき可変風量部の開度を演算し、該開度が所定の開度閾値以下となるとき、空調機の給気温度設定値を上昇させる。風量制御部は、給気温度設定値が上昇したとき、制御対象エリアの温度計測値と温度設定値との偏差に基づき、可変風量部の開度設定値を増加させる。
【０００８】
実施形態の空調制御方法は、空調機と可変風量部と空調制御装置とを有する空調制御システムの空調制御方法において、制御対象エリアの温度計測値と温度設定値との偏差に基づき可変風量部の開度を演算し、該開度が所定の開度閾値以下となるとき、空調機の給気温度設定値を上昇させる。また、給気温度設定値が上昇したとき、制御対象エリアの温度計測値と温度設定値との偏差に基づき、可変風量部の開度設定値を増加させる。
【図面の簡単な説明】
【０００９】
【図１】第１の実施形態の空調制御システムの機能構成を示す図。
【図２】第１の実施形態の空調制御装置の機能構成を示す図。
【図３】第１の実施形態の空調制御装置の動作を説明する図。
【図４】第１の実施形態の空調制御装置の処理フローを示す図。
【図５】第２の実施形態の空調制御装置の機能構成を示す図。
【発明を実施するための形態】
【００１０】
＜第1の実施形態＞
以下、第1の実施形態に係る空調制御システムを、図面を参照して説明する。
図１は同実施形態による空調制御システムの機能構成を示す図である。この図において、符号１は空調制御システムである。
図１に示すように、空調制御システム１は、空調制御装置１０、空調機本体部１１、可変風量部１２（以下、単にＶＡＶ１２と記載する）、ダクト給気温度センサ１３、室内温度センサ１４、冷媒弁１５を備えている。さらに空調機本体部１１は、冷却コイル１１０及び送風機１１１を備えている。
【００１１】
本実施形態に係る空調制御システム１は、操作受付部（例えばリモコン、図示せず）を介して利用者より入力される室内温度設定値ＴＳと、室内温度センサ１４を介して入力される、室内の温度を示す室内温度計測値ＴＲとを比較し、ダクトを通じて室内に供給される空気（冷却空気）の温度であるダクト給気温度ＴＤとその風量を調整しながら、室内の温度を室内温度設定値ＴＳで安定させる空調制御を行う装置である。
本実施形態に係る空調制御システム１は、通常運転モード時（後述）においては、室内の温度（室内温度計測値ＴＲ）と室内温度設定値ＴＳとの偏差ΔＴが大きい場合にＶＡＶ１２の開度Ｖを大きくして冷却空気の風量を増加させるように制御し、偏差ΔＴが小さくなるにつれ、開度Ｖを徐々に小さくして風量を抑える制御を行う。よって最終的には、室内の温度（室内温度計測値ＴＲ）が室内温度設定値ＴＳに一致したときに、開度Ｖ及び風量は室内負荷とバランスが取れ安定する。
【００１２】
ここで空調制御システム１の利用者が、一般的な衣服を身に着けている通常の利用者である場合、当該利用者は、室内の温度が所望する室内温度設定値ＴＳで維持されることで“涼しさ”を体感することができる。しかしながら、例えば利用者が体全体を覆う衣服を身に着けている場合、身体付近における空気の対流が起きにくいため、室内の温度を室内温度設定値ＴＳまで低下させただけでは利用者は“涼しさ”を体感することができない。
一般的に、体の大部分を覆う衣装を身に着けている利用者を対象とする場合、利用者は、室内の温度が室内温度設定値ＴＳに一致することよりも、吹き出される冷却空気の風圧を体感するほうが、より“涼しさ”を体感することができる。つまり、体の大部分を覆う衣装を身に着けている利用者に対しては、単に室内温度計測値ＴＲを室内温度設定値ＴＳと一致させるような制御を行うのみならず、適宜風量を増加させて、利用者に一定以上の風圧を体感させるような制御を行う方が、快適な環境を提供することができる。そこで、本実施形態に係る空調制御システム１は、後述する風量上昇モードにおいて、利用者に風圧を体感できる風量と設定する制御を行う。
【００１３】
以下、空調制御システム１の各機能構成について説明する。
空調制御装置１０は、冷媒弁１５を制御して、冷却空気の温度（ダクト給気温度ＴＤ）を調整する機能を有している。さらに、空調制御装置１０は、室内温度設定値ＴＳ及び室内温度センサ１４を介して入力される室内温度計測値ＴＲとの偏差に応じた適切なＶＡＶ１２の開度Ｖ［％］を求め、その開度Ｖへと制御することで、空調制御システム１の吹出し口から送出される冷却空気の風量を調整する機能を有している。空調制御装置１０は、このように空調制御システム１のダクトを通じてＶＡＶ１２から室内へと送出される冷却空気の温度（ダクト給気温度ＴＤ）とその風量とを制御しながら、室内の温度を利用者の所望する設定温度へと調整する制御を行う。空調制御装置１０の詳細な機能構成については後述する。
【００１４】
空調機本体部１１は、空調制御システム１による空調制御を実現するための主要な機能部であって、空気を冷却するための機構である冷却コイル１１０と、冷却コイル１１０により冷却された空気を室内へと送出するための送風機１１１を内部に備えている。なお冷却コイル１１０の管内を流れる冷媒（例えば冷水）の流量に応じて、管に接する空気の冷却の度合いを変化させる。空調制御装置１０は、後述する冷媒弁１５を介して冷媒の流量、冷却コイル１１０の冷却の度合いを制御することで、ダクト給気温度ＴＤを所望の値となるように調整する。
【００１５】
ＶＡＶ１２は、空調制御装置１０から入力する開度情報（開度設定値）に応じて、室内への吹出し口の開閉の度合いを示す「開度」Ｖを調整する機能部である。送風機１１１から吹き出される冷却空気は、ダクト（図１）及びＶＡＶ１２を介して室内に送出される。ＶＡＶ１２は、空調制御装置１０から入力する開度情報（開度設定値）に応じて開度Ｖを変更できる機構（開閉ダンパー）を有しており、最大開度Ｖｍａｘ［％］〜最小開度Ｖｍｉｎ［％］の範囲で設定可能となっている。なお、本実施形態に係るＶＡＶ１２を流通する冷却空気の風量は、ＶＡＶ１２に設定された開度Ｖと比例関係を保ちながら増減するものとする。
【００１６】
ダクト給気温度センサ１３は、冷却コイル１１０に冷却されダクト内を流通する空気（給気）の温度を検出する温度センサである。また室内温度センサ１４は、空調制御を行う室内の温度を検出する温度センサである。冷媒弁１５は、冷却コイル１１０の管内を流通する冷媒の流量を調整する弁である。上述したように、冷媒弁１５は、空調制御装置１０から所定の制御信号に応じて冷媒の流量を調整可能となっている。
【００１７】
図２は、第１の実施形態に係る空調制御装置の機能構成を示す図である。
図１に示した空調制御装置１０は、さらに以下のような機能構成を有している。図２に示すように、空調制御装置１０は、給気温度制御部１００、風量制御部１０１及び運転モード判定部１０２を備えている。
【００１８】
給気温度制御部１００は、後述する運転モード判定部１０２が定める運転モードに基づいて、冷媒弁１５に冷媒の流量を調整する制御信号を出力する機能部である。具体的には、給気温度制御部１００は、室内温度計測値ＴＲに応じたダクト給気温度設定値ＴＤｓを設定し、ダクト給気温度センサ１３を介して入力する実際のダクト給気温度ＴＤ（ダクト給気温度計測値ＴＤｒ）と、ダクト給気温度設定値ＴＤｓとを一致させるように制御を行う。
また本実施形態に係る給気温度制御部１００は、後述する運転モード判定部１０２から運転モード情報を入力して、運転モードに応じた制御を行う。この処理の具体的な内容については後述する。
なお給気温度制御部１００は、本実施形態においては、ダクト内において計測されるダクト給気温度ＴＤを計測しながら制御するものとしているが、他の実施形態においてはこの態様に限定されることはなく、ダクト以外（例えば室内への吹出し口等）の温度を計測しながら室内への給気温度を制御するものであってもよい。
【００１９】
風量制御部１０１は、ＶＡＶ１２に対し、室内温度設定値ＴＳと、室内温度センサ１４を介して入力する室内温度計測値ＴＲとの偏差ΔＴに応じた開度Ｖを示す開度情報を出力する機能部である。風量制御部１０１は、室内温度計測値ＴＲと室内温度設定値ＴＳとの偏差ΔＴが大きい場合には、開度Ｖを高く設定して風量を上昇させる制御を行い、室内温度計測値ＴＲと室内温度設定値ＴＳとの偏差ΔＴが小さくなるにつれて開度Ｖを低くして、風量を減少させる制御を行う。
【００２０】
運転モード判定部１０２は、風量制御部１０１から現時点におけるＶＡＶ１２の開度Ｖを示す開度情報を入力し、開度Ｖに応じて運転すべき運転モードの判定及び変更を行う機能部である。具体的には、運転モード判定部１０２は、「通常運転モード」で運転中の場合において、風量制御部１０１から入力する開度情報によって示されるＶＡＶ１２の開度Ｖが所定の第１開度閾値Ｖｔｈ１以下となった場合には、「通常運転モード」から「風量上昇モード」に運転モードを切り替える処理を行う。ここで第１開度閾値Ｖｔｈ１とは、ＶＡＶ１２の開度が、利用者が“涼しさ”を感じることができるほどの風圧を体感できない風量となる開度を指す。第１開度閾値Ｖｔｈ１は、例えば、ＶＡＶ１２で設定可能な開度Ｖの最小値である最小開度Ｖｍｉｎであってもよい。
また「風量上昇モード」で運転中の場合において、ＶＡＶ１２の開度Ｖが、第１開度閾値Ｖｔｈ１よりも大きく、送風のための空調制御システム１の負荷が過大とならない他の開度閾値である第２開度閾値Ｖｔｈ２（＞Ｖｔｈ１）以上となった場合には、「風量上昇モード」から「通常運転モード」に運転モードを切り替える処理を行う。ここで「通常運転モード」及び「風量上昇モード」については後述する。運転モード判定部１０２は、設定した運転モードを示す運転モード情報を給気温度制御部１００に出力する。
【００２１】
図３は、第１の実施形態に係る空調制御装置の動作を説明する図である。
図３に示すグラフは、縦軸にダクト給気温度ＴＤを、横軸にＶＡＶ１２の開度Ｖを示しており、空調制御装置１０による制御におけるダクト給気温度ＴＤと開度Ｖの推移を表している。
以下、上述した「通常運転モード」時及び「風量上昇モード」時における空調制御装置１０の処理について、図３を参照しながら具体的に説明する。
まず通常運転モード時において、空調制御装置１０は従来と同等の空調機制御（ＶＡＶ方式という）を行う。具体的には、空調制御装置１０は、まず、ダクト給気温度設定値ＴＤｓを固定値として定めるとともに、冷却コイル１１０及び送風機１１１を駆動させる。このとき、給気温度制御部１００は、ダクト給気温度センサ１３を介して入力するダクト給気温度計測値ＴＤｒが、固定値として定められたダクト給気温度設定値ＴＤｓと一致するように冷媒弁１５の制御を行う。
【００２２】
冷却コイル１１０によって冷却されダクト給気温度設定値ＴＤｓとなった空気を、ＶＡＶ１２を介して室内に送風することで室内が徐々に冷却される。このとき、風量制御部１０１は、室内の現時点における温度を検知する室内温度センサ１４を介して室内温度計測値ＴＲを入力し、室内温度設定値ＴＳとの偏差ΔＴを取得する。そして、その偏差が小さくなるにつれて徐々にＶＡＶ１２の開度Ｖを徐々に小さくし、風量を減少させる制御を行う。したがって、通常運転モード時における空調制御装置１０の制御によれば、ＶＡＶ１２の開度Ｖとダクト給気温度ＴＤの関係は、図３に示すグラフＡ（通常運転モード）のような軌跡をたどる。
【００２３】
次に、上述したように、運転モード判定部１０２は、通常運転モード時においてＶＡＶ１２の開度Ｖが所定の第１開度閾値Ｖｔｈ１以下となった場合に、「通常運転モード」から「風量上昇モード」に運転モードを切り替える処理を行う。給気温度制御部１００は、運転モード判定部１０２から入力する運転モード情報により「風量上昇モード」に切り替わったことを検知すると、ダクト給気温度設定値ＴＤｓを上昇させる処理を行う。そうすると、この処理に伴って室内に供給される空気の温度が上昇するため、室内温度が上昇する。しかし、室内温度が上昇すると室内温度計測値ＴＲと室内温度設定値ＴＳとの偏差が大きくなるため、風量制御部１０１は、再び風量を増加させるべく、ＶＡＶ１２の開度を大きくする制御を行う。つまり空調制御装置１０は、ダクト給気温度ＴＤと開度Ｖをともに上昇させながら、結果的に室内の温度が室内温度設定値ＴＳ近傍で保たれるような制御を行う。したがって、風量上昇モード時における空調制御装置１０の制御によれば、ＶＡＶ１２の開度Ｖとダクト給気温度ＴＤの関係は、図３に示すグラフＢ（風量上昇モード）のような軌跡をたどる。
【００２４】
このとき、給気温度制御部１００は、ＶＡＶ１２の開度Ｖが、利用者が所定の風圧を体感できる、予め定められた風量とする風圧体感開度Ｖａまで上昇するまでダクト給気温度設定値ＴＤｓを上昇させる制御を行う。なお、空調制御装置１０は、より大きい風量をもって室温を維持できるようであれば、給気温度制御部１００においてダクト給気温度ＴＤをさらに上昇させる処理を行ってもよい。ただし、ＶＡＶ１２の開度Ｖが所定の第２開度閾値Ｖｔｈ２（Ｖｔｈ２は、例えば開度Ｖの最大値Ｖｍａｘ）に達した場合には、運転モード判定部１０２は、風量上昇モードを通常運転モードに切り替える処理を行う。給気温度制御部１００は、通常運転モードに切り替わったことを検知すると、ダクト給気温度設定値ＴＤｓを通常運転モード時の値（固定値）に下げて、ダクト給気温度ＴＤを低下させる制御を行う。
このようにすることで、風量上昇モードにおいて、室内の温度を室内温度設定値ＴＳ近傍で維持するために極めて強い風量が必要となる場合には、通常運転モードに切り替えることで、送風のための負荷が過大となる事態を回避することができる。
【００２５】
図４は、第１の実施形態に係る空調制御装置の処理フローを示す図である。
次に、本実施形態に係る空調制御装置１０が実行する処理フローについて、図４を参照しながら詳細に説明する。
図４に示す処理フローでは、利用者からの運転開始指示に基づいて空調制御システム１が運転を開始する時点からの空調制御装置１０の処理フローについて説明する。
まず、運転モード判定部１０２は、自装置の運転モードを通常運転モードに定める。そして空調制御装置１０は、通常運転モードにおける制御を開始する（ステップＳ０１）。
次いで、給気温度制御部１００は、運転モード判定部１０２から「通常運転モード」を示す運転モード情報を入力し、ダクト給気温度設定値ＴＤｓを、通常運転モード時において定められる所定の固定値に定める（ステップＳ０２、図３参照）。例えば、通常運転モード時におけるダクト給気温度設定値ＴＤｓを１８℃とする。
給気温度制御部１００は、設定されたダクト給気温度設定値ＴＤｓ（＝１８℃）に基づいて、冷媒弁１５に制御信号を出力する。そして冷却コイル１１０によって冷却された空気を送風機１１１がＶＡＶ１２に送風する。ここでダクト給気温度センサ１３は、送風機１１１が送風する冷却されたダクト給気温度ＴＤｒを計測し、そのダクト給気温度計測値ＴＤｒを給気温度制御部１００に出力する。給気温度制御部１００は、入力するダクト給気温度計測値ＴＤｒを参照しながら、冷媒弁１５による冷媒の流量を調整しながら、ダクト給気温度計測値ＴＤｒが、ダクト給気温度設定値ＴＤｓ（＝１８℃）と一致するように制御する。このように制御することで、給気温度制御部１００は温度（ダクト給気温度計測値ＴＤｒ）が１８℃となる冷却空気を生成することができる。
【００２６】
次に、風量制御部１０１は、室内温度センサ１４を介して入力する室内温度計測値ＴＲを参照しながらＶＡＶ１２に開度情報を出力して、ＶＡＶ１２の開度を調整する処理を行う（ステップＳ０３）。具体的には、例えば風量制御部１０１は、室内温度設定値ＴＳと室内温度計測値ＴＲとの偏差ΔＴと設定する開度Ｖとが比例関係を有するように、ＶＡＶ１２の開度を制御する。そうすると、このステップＳ０３が繰り返されることで、風量制御部１０１は、室内温度設定値ＴＳと室内温度計測値ＴＲとの偏差ΔＴが大きい場合には、開度Ｖを大きくして風量を増加させて室内温度を急速に下げ、その偏差ΔＴが小さくなるにつれて開度Ｖを徐々に小さくして風量を減少させていくという制御を実現する。
例えば、室内温度設定値ＴＳが２６℃であって、実際の室温（すなわち室内温度センサ１４が取得する室内温度計測値ＴＲ）が３０℃であったとする。そうすると、風量制御部１０１は、偏差ΔＴ（＝３０℃−２６℃＝＋４℃）に基づいて、温度１８℃の冷却空気を適切な風量で室内に送風するようにＶＡＶ１２の開度Ｖを制御する。そして、冷却空気が室内に送風された結果、室内温度計測値ＴＲが２９℃、２８℃、・・・と低下するにつれ偏差ΔＴも減少していくので、風量制御部１０１は、その偏差ΔＴに応じてＶＡＶ１２の開度Ｖを下げていき、風量を低下させる制御を行う。
【００２７】
風量制御部１０１による上記制御中、利用者から運転終了の指示を受け付けた場合（ステップＳ０４にてＹＥＳ）には、空調制御装置１０は空調制御システム１の制御を終了する。利用者からの運転終了の指示を受け付けていない場合（ステップＳ０４にてＮＯ）には、制御を続行する。
運転モード判定部１０２は、風量制御部１０１から現時点における開度Ｖの値を入力し、開度Ｖが予め定められた第１開度閾値Ｖｔｈ１以下となっているか否かを判定する（ステップＳ０５）。ここで、現時点において開度Ｖが第１開度閾値Ｖｔｈ１を上回っている場合（ステップＳ０５にてＮＯ）は、風量制御部１０１がステップＳ０３の処理を繰り返す。つまり運転モード判定部１０２は、給気温度制御部１００に対し通常運転モードを示す運転モード情報の出力を継続する。
なお第１開度閾値Ｖｔｈ１は、例えば、ＶＡＶ１２で設定可能な開度Ｖの最小値である最小開度Ｖｍｉｎであってもよい。
【００２８】
次に、ステップＳ０３の処理が繰り返されるうちに、室内温度設定値ＴＳと室内温度計測値ＴＲとの偏差ΔＴが小さくなって開度Ｖが減少し、開度Ｖが第１開度閾値Ｖｔｈ１以下となった場合（ステップＳ０５にてＹＥＳ）を説明する。この場合、運転モード判定部１０２は、通常運転モードを風量上昇モードに切り替える処理を行う（ステップＳ０６）。
このように、空調制御システム１は、開度Ｖが第１開度閾値Ｖｔｈ１となって利用者が風圧を体感できない状態となった場合に、直ちに風量上昇モードに切り替えて、利用者に風圧を体感させることができる運転モードへと移行する。
【００２９】
給気温度制御部１００は、運転モード判定部１０２から「風量上昇モード」を示す情報を入力すると、ダクト給気温度設定値ＴＤｓを通常運転モード時の設定値から上昇させる処理を行う（ステップＳ０７）。例えば、給気温度制御部１００はステップＳ０７において、ダクト給気温度設定値ＴＤｓを１８℃から１９℃に上昇させる。そうすると、給気温度制御部１００は、冷却コイル１１０により生成される冷却空気の温度が１９℃となるように冷媒弁１５による冷媒の流量の制御を実行する。
一方、風量制御部１０１は、引き続き、室内温度センサ１４を介して入力する室内温度計測値ＴＲを参照しながらＶＡＶ１２に開度情報を出力して、ＶＡＶ１２の開度Ｖを調整する処理を行う（ステップＳ０８）。ここでステップＳ０８における風量制御部１０１の処理は、実質的には、通常運転モード時（ステップＳ０３）における処理と変わらない。しかしながら、風量上昇モードにおいてはステップＳ０７にて冷却空気の温度（ダクト給気温度設定値ＴＤｓ）が１８℃から１９℃に上昇しているため、室内環境における熱量の流れが一定の場合、同等の風量で運転する限り室内の温度（室内温度計測値ＴＲ）が徐々に上昇し偏差ΔＴが拡大する。そうすると、風量制御部１０１のステップＳ０８の処理により風量が増大する結果となる。
しかし、ＶＡＶ１２から送出される冷却空気の風量が増大すると、室内の温度は再び下がり始め、偏差ΔＴが減少する方向へ向かう。つまり風量制御部１０１は、この段階においては、風量の増減を繰り返しながら、１９℃の冷却空気をもって室内温度計測値ＴＲを設定温度計測値ＴＤ（＝２６℃）で安定させるような風量の調整を行う。この場合、１８℃よりも高い温度（１９℃）の冷却空気をもって室内温度を一定にしようとする制御を行うので、ＶＡＶ１２から送出される風量は、当然、通常運転モード（ダクト給気温度設定値ＴＤｓ＝１８℃）で運転していた時よりも増加する。
【００３０】
後述するステップＳ１０の判定により、開度Ｖが第２開度閾値Ｖｔｈ２以上とならない限りにおいて、給気温度制御部１００及び風量制御部１０１は、ステップＳ０７及びステップＳ０８の処理を繰り返す。例えばある段階のステップＳ０８で、給気温度制御部１００がダクト給気温度設定値ＴＤｓをさらに１９℃から２０℃に上昇させたとする。そうすると風量制御部１０１は、引き続き風量の増減を繰り返しながら、今度は２０℃の冷却空気をもって、室内温度計測値ＴＲを設定温度計測値ＴＤ（＝２６℃）で安定させるような風量の調整を行う。この場合、ＶＡＶ１２から送出される風量はさらに増加する。
このように、風量上昇モード時の運転では、給気温度制御部１００がダクト給気温度設定値ＴＤｓを通常運転モード時における温度（＝１８℃）よりも高い温度（１９℃、２０℃、・・・）と上昇させていくことで、これに応じて風量制御部１０１が室内の温度（室内温度計測値ＴＲ）を一定に保つべく、徐々に冷却空気の風量を増加させていく。結果として風量制御部１０１は、ＶＡＶ１２から吹き出される冷却空気の風量を、利用者がその風圧を体感できる風量とする風圧体感開度Ｖａに設定することなる。
【００３１】
なお、風量上昇モードにおける運転中においても、利用者から運転終了の指示を受け付けた場合（ステップＳ０９にてＹＥＳ）には、空調制御装置１０は空調制御システム１の制御を終了する。利用者からの運転終了の指示を受け付けていない場合（ステップＳ０９にてＮＯ）には制御を継続する。空調制御装置１０は、風量上昇モードで運転を終了した場合において再度利用者から運転開始の指示を受け付けた場合には、改めてステップＳ０１（通常運転モード）から制御を開始する。
【００３２】
次に運転モード判定部１０２は、風量制御部１０１から現時点における開度Ｖの値を入力し、開度Ｖが予め定められた第２開度閾値Ｖｔｈ２以上となっているか否かを判定する（ステップＳ１０）。ここで、現時点において開度Ｖが第２開度閾値Ｖｔｈ２を下回っている場合（ステップＳ１０にてＮＯ）は、給気温度制御部１００及び風量制御部１０１がステップＳ０７、ステップＳ０８の処理を繰り返す。つまり運転モード判定部１０２は、給気温度制御部１００に対し風量上昇モードを示す運転モード情報の出力を継続する。
なお第２開度閾値Ｖｔｈ２は、例えば、ＶＡＶ１２で設定可能な開度Ｖの最大値である最大開度Ｖｍａｘであってもよい。
【００３３】
なおステップＳ０７、ステップＳ０８の処理が繰り返される中でダクト給気温度設定値ＴＤｓが徐々に上昇するため、ある時点で風量を最大（開度Ｖ＝Ｖｍａｘ）にしても室内の温度（室内温度計測値ＴＲ）を設定温度計測値ＴＤ（＝２６℃）で安定させることができなくなる場合がある。
そこで、風量上昇モード時において、室内温度設定値ＴＳと室内温度計測値ＴＲとの偏差ΔＴが大きくなって開度Ｖが増加し、開度Ｖが第２開度閾値Ｖｔｈ２以上となった場合（ステップＳ１０にてＹＥＳ）を説明する。この場合、運転モード判定部１０２は、風量上昇モードを終了し、ステップＳ０１に戻って通常運転モードに切り替える処理を行う。給気温度制御部１００は、運転モード判定部１０２から通常運転モードを示す運転モード情報を入力すると、直ちに、ダクト給気温度設定値ＴＤｓを通常運転モード時における固定値（＝１８℃）に変更する。
【００３４】
このようにすることで、冷却空気の温度（ダクト給気温度設定値ＴＤｓ）が上昇した結果、室内の温度を設定温度計測値ＴＤで安定させることが困難となった場合に、運転モード判定部１０２が風量上昇モードから通常運転モードに切り替えて、直ちに冷却空気の温度を低下させることができる。したがって、室内の温度を室内温度設定値ＴＳ近傍で維持するために必要な風量が大きくなりすぎて、送風のための負荷が過大となる事態を回避することができる。
【００３５】
以上、本実施形態に係る空調制御装置１０によれば、空調制御システム１は、ＶＡＶ１２の開度Ｖが所定の第１開度閾値Ｖｔｈ１以下となり、利用者が一定の風圧を体感できない状態となった場合には、運転モードを風量上昇モードに切り替えて、適宜風量を増加させ、利用者に一定以上の風圧を体感させる。したがって、体の大部分を覆う衣装を身に着けている利用者に対しても、快適な環境を提供することができる。
また、空調制御装置１０によれば、空調制御システム１は、風量上昇モードにおいて冷却空気の温度（ダクト給気温度設定値ＴＤｓ）を上昇させる制御を行う。したがって冷却コイル１１０における空気の冷却負荷が軽減するので、空調制御システム１全体の消費電力を低減させることができる。
また、空調制御装置１０によれば、空調制御システム１は、風量上昇モードにおいて室内の温度を利用者が所望する温度（室内温度設定値ＴＳ）に維持することが困難となった場合（開度Ｖが第２開度閾値Ｖｔｈ２に達した場合）には、直ちに通常運転モードに切り替えて運転を継続する。その結果、冷却空気の温度（ダクト給気温度ＴＤ）は低下する。したがって、風量増加モードにおいて室温が上昇してしまい、利用者の快適性が損なわれることを防止することができる。また、上述したように、必要な風量が大きくなりすぎて、送風のための負荷が過大となる事態を回避することができる。
【００３６】
なお以上に説明した本実施形態に係る空調制御装置１０は、上述の内容に限定されることはなく、例えば以下のように変更可能である。
例えば、空調制御装置１０は、ステップＳ１０の処理（図４）において、開度Ｖが第２開度閾値Ｖｔｈ２以上となった場合には、直ちに通常運転モードに移行する（ステップＳ０１）処理を行うこととしている。この場合、給気温度制御部１００は、風量上昇モード時の運転において上昇中のダクト給気温度設定値ＴＤｓ（例えば２０℃）を直ちに通常運転モード時のダクト給気温度設定値ＴＤｓ（例えば１８℃）に変更することとなる。しかし、他の実施形態に係る給気温度制御部１００は、通常運転モードに移行するに際して、徐々にダクト給気温度設定値ＴＤｓを低下させていく処理を行ってもよい。
このようにすることで、冷却コイル１１０の急激な負荷変動を抑制し、消費電力の増加を防止することができる。
【００３７】
また、本実施形態に係る給気温度制御部１００は、風量上昇モード時において、ダクト給気温度設定値ＴＤｓを徐々に上昇させる処理を行う（ステップＳ０７）こととしている。しかし、他の実施形態に係る給気温度制御部１００は、現時点における開度Ｖが、利用者がその風圧を体感できる風量とする風圧体感開度Ｖａに維持されている場合に、ダクト給気温度設定値ＴＤｓの上昇を一時的に停止する機能を有していてもよい。なおこの場合、給気温度制御部１００は、風量制御部１０１により設定されている開度Ｖを示す開度情報を直接入力する構成となっているものとする。
このようにすることで、空調制御システム１は、利用者がその風圧を体感できる風量となっている限りにおいて、冷却空気の温度をそれ以上上昇させないので、空調制御システム１は、利用者がその風圧を体感できる風量となって快適性が得られる状態を一層持続させることができる。
【００３８】
＜第２の実施形態＞
以下、第２の実施形態による空調制御システムを、図面を参照して説明する。
なお第２の実施形態に係る各機能構成のうち、第１の実施形態と共通する機能構成については同一の符号を付してその説明を省略する。また本実施形態に係る空調制御システム１の機能構成は、第１の実施形態に係る空調制御システム１の機能構成（図１）と同等であるため、図示を省略する。
【００３９】
図５は、第２の実施形態による空調制御装置の機能構成を示す図である。
図５に示すように、本実施形態に係る空調制御装置１０は、給気温度制御部１００、風量制御部１０１及び運転モード判定部１０２を備えている。ここで、本実施形態に係る風量制御部１０１は、さらに開度演算部１０１ａを備えている。以下、各機能構成について説明する。
【００４０】
給気温度制御部１００は、第１の実施形態と同様、運転モード判定部１０２が定める運転モードに基づいて、冷媒弁１５に冷媒の流量を調整する制御信号を出力する機能部である。
また本実施形態に係る給気温度制御部１００は、自身が設定する冷却空気の温度（ダクト給気温度設定値ＴＤｓ）を示すダクト給気温度情報を、風量制御部１０１に出力する。
【００４１】
風量制御部１０１は、第１の実施形態と同様、ＶＡＶ１２に対し、室内温度設定値ＴＳと、室内温度計測値ＴＲとの偏差ΔＴに応じた開度Ｖを示す開度情報を出力する機能部である。通常運転モード時における風量制御部１０１の処理は、第１の実施形態と同等である。
また、本実施形態に係る風量制御部１０１は、風量上昇モード時において、開度演算部１０１ａの演算処理に基づいて得られる目標開度Ｖｓを示す開度情報を出力し、ＶＡＶ１２の開度Ｖを当該目標開度Ｖｓとする制御を行う。この制御の詳細については後述する。
【００４２】
運転モード判定部１０２は、第１の実施形態と同様、風量制御部１０１から開度情報を入力し、開度Ｖに応じて運転すべき運転モードの判定及び設定の切り替えを行う機能部である。本実施形態に係る運転モード判定部１０２は、設定した運転モードを示す運転モード情報を給気温度制御部１００及び風量制御部１０１に出力する。
【００４３】
次に、本実施形態に係る空調制御装置１０の具体的な処理フローについて説明する。
本実施形態に係る空調制御装置１０の処理フローは、第１の実施形態（図４）と同等である。ただし、風量上昇モードにおけるＶＡＶ１２の開度の制御（ステップＳ０８）が以下のような処理となる点が異なる。
まずステップＳ０６で風量上昇モードに切り替わると、給気温度制御部１００は、ダクト給気温度設定値ＴＤｓを上昇させる処理を行う（ステップＳ０７）。ここで、給気温度制御部１００は、ダクト給気温度設定値ＴＤｓを１８℃から１９℃に上昇させたとする。このとき給気温度制御部１００は、冷却空気の温度（ダクト給気温度）を１９℃に変更する制御を行うとともに、新たに設定したダクト給気温度設定値ＴＤｓ（＝１９℃）を示すダクト給気温度情報を風量制御部１０１に出力する。
【００４４】
ここで、本実施形態に係る風量制御部１０１は、ステップＳ０８において利用者が所定の風圧を体感できる風量へと変更する際に、風量上昇モードに移行する前後において室内へ供給する熱量が一定となるような目標開度Ｖｓを演算する。
具体的には、風量制御部１０１は、入力するダクト給気温度情報が示すダクト給気温度設定値ＴＤｓと、室内温度センサ１４から入力される室内温度計測値ＴＲに基づいて、ＶＡＶ１２に設定すべき開度Ｖを演算する処理を行う。
具体的には、開度演算部１０１ａは、式（１）に示す演算を行う。
【００４５】
【数１】
2015014391.tif 000003
【００４６】
ただし式（１）において、“Ｖｓ”は目標開度Ｖｓ、“ＴＲ”は室内温度計測値ＴＲ、“Ｖｔｈ１”は第１開度閾値Ｖｔｈ１である。また“ＴＤｓ１”は、通常運転モード時において固定値として設定されるダクト給気温度設定値ＴＤｓであり、“ＴＤｓ２”は風量上昇モード時の各時点において設定されるダクト給気温度設定値ＴＤｓである。
このように、風量制御部１０１は、ダクト給気温度の変更後（風量上昇モード時）におけるダクト給気温度（＝ＴＤｓ２）と室内温度計測値ＴＲとの偏差に対する、ダクト給気温度の変更前（通常運転モード時）におけるダクト給気温度（＝ＴＤｓ１）と室内温度計測値ＴＲとの偏差の割合に、当該ダクト給気温度の変更前における開度（第１開度閾値Ｖｔｈ１）を乗じて目標開度Ｖｓを算出する。
【００４７】
ここで、通常運転モード時において、ＶＡＶ１２の開度Ｖが第１開度閾値Ｖｔｈ１で、室内の温度（室内温度計測値ＴＲ）が室内温度設定値ＴＳ（＝２６℃）で保たれている場合を考える。また、このときのダクト給気温度設定値ＴＤｓが１８℃であったとする。この段階において空調制御システム１は、第１開度閾値Ｖｔｈ１に応じた風量（風量Ａ１とする）で１８℃の冷却空気を室内に送風することで、室内の温度を２６℃に維持できていると考えられる。
このような状況において、運転モード判定部１０２が風量上昇モードへの切り替え処理を行い、給気温度制御部１００がダクト給気温度設定値ＴＤｓを１８℃から１９℃に上昇させたとする。この場合、室内の温度を引き続き２６℃で維持するためには、通常運転モード時において室内に供給していた熱量と、冷却空気が１９℃に上昇した風量上昇モード時において、この後に室内に供給する熱量とが一致している必要がある。
【００４８】
ここで、空調制御システム１が室内に供給する熱量は、室内の温度（室内温度計測値ＴＲ）と冷却空気の温度（ダクト給気温度設定値ＴＤｓ）との温度差と、その冷却空気の風量との積に応じた値となる。つまり上記の例では、通常運転モード時において、室内の温度（２６℃）と冷却空気の温度（１８℃）との温度差が８℃であった状態から、風量上昇モードに移行して冷却空気の温度が１９℃となった場合には、室内の温度（２６℃）と冷却空気の温度（１９℃）との温度差が７℃となって減少する。しかし、風量制御部１０１が、上記温度差の減少に応じてより大きい風量Ａ２（＞Ａ１）を送風すれば、室内に供給する熱量は一定となり、室内の温度２６℃を維持することができる。
【００４９】
したがって、風量制御部１０１は、ステップＳ０８において、室内温度計測値ＴＲと室内温度設定値ＴＳとの偏差ΔＴに基づいてＶＡＶ１２の開度Ｖを制御するのではなく、式（１）により算出された目標開度Ｖｓ（風量Ａ２に対応する開度Ｖ）をＶＡＶ１２に適用する制御を行う。
このようにすることで、空調制御装置１０は、風量を増加させつつも、引き続き室内温度を一定に保つことができる。
【００５０】
以上、本実施形態に係る空調制御装置１０によれば、第１の実施形態と同様、空調制御システム１は、ＶＡＶ１２の開度Ｖが所定の第１開度閾値Ｖｔｈ１以下となった場合に適宜風量を増加させ、利用者に一定以上の風圧を体感させることができる。したがって、体の大部分を覆う衣装を身に着けている利用者に対しても、快適な環境を提供することができる。
【００５１】
また第１の実施形態の場合、風量上昇モード時において給気温度制御部１００がダクト給気温度設定値ＴＤｓを上昇させた後、風量制御部１０１は、室内温度（室内温度計測値ＴＲ）の実際の上昇に伴って風量を増加させる制御を行うため、風量上昇モードに移行してから実際に風量が上昇するまでにタイムラグが生じる。
一方、第２の実施形態の場合、風量上昇モード時において給気温度制御部１００がダクト給気温度設定値ＴＤｓを上昇させた場合、開度演算部１０１ａは、そのダクト給気温度設定値ＴＤｓに基づいて室内の温度を一定に保つべき目標開度Ｖｓを算出し、得られた目標開度Ｖｓを直ちにＶＡＶ１２の開度Ｖに適用させる処理を行う。したがって、開度演算部１０１ａにより算出される目標開度Ｖｓが風圧体感開度Ｖａに到達するまで、給気温度制御部１００はダクト給気温度設定値ＴＤｓを急速に上昇させることが可能となる。その結果、空調制御システム１は、より迅速に、利用者に一定以上の風圧を体感させる風量にまで上昇させることができる。
【００５２】
なお、以上に説明した本実施形態に係る空調制御装置１０は、上述の内容に限定されることはなく、例えば以下のように変更可能である。
【００５３】
例えば、本実施形態に係る風量制御部１０１の開度演算部１０１ａは、式（１）に基づいて、室内に供給する熱量が一定となるような目標開度Ｖｓを演算する方法を用いていた。しかし、他の実施形態に係る開度演算部１０１ａは、熱量とは異なる別の指標に基づいて目標開度Ｖｓを演算してもよい。具体的には、例えば、風量制御部１０１は、人間の温冷感を数値化した“ＰＭＶ値”（Predicted Mean Vote：快適指数等とも言う）に基づいて、目標開度Ｖｓを演算してもよい。なお公知の技術として、このＰＭＶ値は、室内温度、風量、着衣量、活動量、輻射温度及び湿度の６つの値をパラメータとして含む既知の演算式から算出することができる。本実施形態に係る開度演算部１０１ａは、ＰＭＶ値を算出するための演算式を予め記憶している。そして開度演算部１０１ａは、風量上昇モード時において、ダクト給気温度設定値ＴＤｓの上昇に応じながら、ＰＭＶ値が所定の範囲（人が快適性を感じる範囲）に収まるように目標開度Ｖｓを算出することとしてもよい。
【００５４】
また、本実施形態に係る風量制御部１０１は、風量上昇モードにおいては専ら、開度演算部１０１ａの演算結果に基づく開度ＶをＶＡＶ１２に適用する制御を行うものとした。しかし他の実施形態において、風量制御部１０１は、開度演算部１０１ａの演算結果、及び、室内温度センサ１４を介して入力する室内温度計測値ＴＲの両方に基づいてＶＡＶ１２の開度Ｖを制御してもよい。より具体的には、例えば、風量制御部１０１は、開度演算部１０１ａの演算結果に基づいて開度Ｖ（風量）を調整した結果、室内の温度が室内温度設定値ＴＳから所定の閾値以上乖離した場合には、そのことを検知して、室内温度計測値ＴＲに基づいた開度Ｖ（風量）の制御に切り替えてもよい。
【００５５】
以上に述べた少なくともひとつの実施形態の空調制御装置によれば、上述した給気温度制御部、及び、可変風量部を備えることにより、ＶＡＶの開度が所定の開度閾値以下となり、利用者が一定の風圧を体感できない状態となった場合には、適宜風量を増加させ、利用者に一定以上の風圧を体感させる制御を行う。したがって、体の大部分を覆う衣装を身に着けている利用者に対しても、快適な環境を提供することができる。
【００５６】
なお、上述の空調制御装置１０は、内部にコンピュータシステムを有している態様であってもよい。そして、上述した空調制御装置１０の各処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ（Compact Disk Read Only Memory）または半導体メモリ等をいう。また、このコンピュータプログラムを通信回線によってコンピュータに配信し、この配信を受けたコンピュータが当該プログラムを実行するようにしても良い。
【００５７】
また上述の空調制御装置１０は、単一の大部屋、または、仕切られた複数の部屋ごとに備えられた複数の空調制御システム１を同時並列的に制御する機能を備えていてもよい。この場合、空調制御システム１は、一つの室内を制御対象エリアとするのではなく、大部屋における、壁等によって仕切られない一領域を制御対象エリアとしてもよい。
またこの場合、空調制御装置１０は、複数の空調制御システム１の外部に備えられ、有線または無線通信手段を介して、空調制御システム１ごとに上述した制御を行うこととしてもよい。
【００５８】
また空調制御システム１は、上述した各機能部が、ネットワークを介して接続された複数の装置に分散して具備されるものであってもよい。一方、各機能部の全てが単一の装置内に具備される場合であっても、当該装置は、各実施形態に係る空調制御システムの範疇に含まれるものとする。
【００５９】
以上、本発明のいくつかの実施形態を説明したが、これらの実施形態は、例として提示したものであり、発明の範囲を限定することは意図していない。これら実施形態は、その他の様々な携帯で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００６０】
１・・・空調制御システム
１０・・・空調制御装置
１００・・・給気温度制御部
１０１・・・風量制御部
１０１ａ・・・開度演算部
１０２・・・運転モード判定部
１１・・・空調機本体部
１１０・・・冷却コイル
１１１・・・送風機
１２・・・可変風量部（ＶＡＶ）
１３・・・ダクト給気温度センサ
１４・・・室内温度センサ
１５・・・冷媒弁
【図１】
2015014391.tif 000004
【図２】
2015014391.tif 000005
【図３】
2015014391.tif 000006
【図４】
2015014391.tif 000007
【図５】
2015014391.tif 000008